(57)【特許請求の範囲】
【請求項１】
原稿を載置する原稿載置手段と、前記原稿載置手段に載置された前記原稿のサイズを検知する原稿サイズ検知手段とを備えた原稿読取装置であって、
カラー表示を行う表示部と、
前記原稿サイズ検知手段にて検知した前記原稿のサイズに基づいて前記表示部に表示される表示画面の配色を変更する表示制御手段と
を備えていることを特徴とする原稿読取装置。
【請求項２】
請求項１に記載の原稿読取装置であって、
前記表示制御手段は、前記原稿サイズ検知手段にて検知した前記原稿のサイズに対して前記表示画面の配色を一意に変更することを特徴とする原稿読取装置。
【請求項３】
請求項２に記載の原稿読取装置であって、
前記表示画面の配色は、長手方向が同一方向に向いた前記原稿のサイズ順での隣り合うサイズ間で一方が無彩色とされている場合には他方が有彩色とされていることを特徴とする原稿読取装置。
【請求項４】
請求項２又は請求項３に記載の原稿読取装置であって、
前記表示画面の配色は、長手方向が同一方向に向いた前記原稿のサイズ順での隣り合うサイズ間で何れも有彩色とされている場合には互いに反対色系の配色とされていることを特徴とする原稿読取装置。
【請求項５】
請求項１に記載の原稿読取装置であって、
前記表示制御手段は、前記原稿サイズ検知手段にて検知した前記原稿のサイズに対するＩＳＯ２１６に規定されたサイズ系列単位で前記表示画面の配色を変更することを特徴とする原稿読取装置。
【請求項６】
請求項５に記載の原稿読取装置であって、
前記表示画面の配色は、ＩＳＯ２１６に規定された前記原稿の隣り合う系列単位間で一方が無彩色とされている場合には他方が有彩色とされていることを特徴とする原稿読取装置。
【請求項７】
請求項５又は請求項６に記載の原稿読取装置であって、
前記表示画面の配色は、ＩＳＯ２１６に規定された前記原稿の隣り合う系列単位間で何れも有彩色とされている場合には互いに反対色系の配色とされていることを特徴とする原稿読取装置。
【請求項８】
請求項１から請求項７までの何れか１項に記載の原稿読取装置であって、
前記表示画面の配色は、規定サイズ以外のサイズに対応する配色を含み、
前記表示制御手段は、前記原稿サイズ検知手段にて検知した前記原稿のサイズが前記規定サイズ以外のサイズである場合には、前記表示画面の配色を前記規定サイズ以外のサイズに対応する配色にすることを特徴とする原稿読取装置。
【請求項９】
請求項１から請求項８までの何れか１項に記載の原稿読取装置であって、
前記表示画面の配色は、初期画面に表示される初期の配色として前記原稿サイズ検知手段にて検知する前記原稿のサイズで設定した配色以外の配色を含み、
前記表示制御手段は、前記初期画面における前記初期の配色から、前記原稿サイズ検知手段にて前記原稿のサイズを検知すると、該原稿サイズ検知手段にて検知した前記原稿のサイズに対応する配色に変更することを特徴とする原稿読取装置。
【請求項１０】
請求項１から請求項９までの何れか１項に記載の原稿読取装置であって、
前記表示制御手段は、前記表示画面の配色を設定変更可能とされていることを特徴とする原稿読取装置。
【請求項１１】
請求項１から請求項１０までの何れか１項に記載の原稿読取装置であって、
前記原稿サイズ検知手段は、前記原稿載置手段に載置された前記原稿のサイズの変更に即応して検知するセンサとされており、
前記表示制御手段は、前記センサにて前記原稿のサイズの変更を検出すると直ちに前記表示画面の配色を変更することを特徴とする原稿読取装置。
【請求項１２】
請求項１から請求項１１までの何れか１項に記載の原稿読取装置を備えたことを特徴とする画像形成装置。
【発明の詳細な説明】
【技術分野】
【０００１】
本発明は、複写機、ファクシミリ装置や複合機などの画像形成装置に備えられる原稿読取装置及びそれを備えた画像形成装置に関する。
【背景技術】
【０００２】
複写機、ファクシミリ装置や複合機などの画像形成装置に備えられる原稿読取装置として、原稿載置台等の原稿載置手段に載置された原稿のサイズを、原稿サイズ検知センサ等の原稿サイズ検知手段を用いて自動的に検知するものがある。
【０００３】
このような原稿読取装置を備えた画像形成装置においては、規定サイズ以外のサイズの原稿が原稿載置手段に載置された場合や、原稿載置手段に載置する場所がずれた状態で原稿が載置された場合に、原稿サイズ検知手段がユーザの想定していないサイズとして検知し、原稿載置手段に載置された原稿のサイズとは異なるサイズとして検知する場合がある。このような場合、ユーザは、原稿サイズ検知手段が原稿載置手段に載置された原稿のサイズとは異なるサイズを検知したか否かを、画像形成された記録シートのサイズを見て初めて気が付く場合が多い。そして、ユーザは、本来のサイズの記録シートに画像形成したい場合には、もう一度画像形成し直す必要があり、それだけ無駄が生じる。
【０００４】
この点に関して特許文献１には、スキャンする原稿の用紙サイズを検知する検知部と、スキャンした原稿の画像データに対応して、当該スキャンした原稿の順に、当該原稿の用紙サイズを記録する用紙サイズ記録部と、前記記録した検知結果を参照し、同一の用紙サイズを示す画像データ群における、それぞれの先頭頁の画像データを表示部にプレビュー表示すると共に、当該画像データに係る用紙サイズを表示部に表示するプレビュー画像表示制御部とを備えた画像形成装置が開示されている。
【先行技術文献】
【特許文献】
【０００５】
【特許文献１】特開２０１０−１０９４１９号公報
【発明の概要】
【発明が解決しようとする課題】
【０００６】
しかしながら、特許文献１に記載の画像形成装置では、原稿載置手段に載置された原稿のサイズを検知する原稿サイズ検知手段が原稿載置手段に載置された原稿のサイズを表示部に表示したとしても、原稿サイズ検知手段が原稿載置手段に載置された原稿のサイズとは異なるサイズを検知したか否かをユーザに対して注意喚起させて確実に報知することができない。
【０００７】
そこで、本発明は、原稿載置手段に載置された原稿のサイズを検知する原稿サイズ検知手段が前記原稿載置手段に載置された前記原稿のサイズとは異なるサイズを検知したか否かをユーザに対して注意喚起させて確実に報知することができる原稿読取装置及びそれを備えた画像形成装置を提供することを目的とする。
【課題を解決するための手段】
【０００８】
本発明は、前記課題を解決するために、原稿を載置する原稿載置手段と、前記原稿載置手段に載置された前記原稿のサイズを検知する原稿サイズ検知手段とを備えた原稿読取装置であって、カラー表示を行う表示部と、前記原稿サイズ検知手段にて検知した前記原稿のサイズに基づいて前記表示部に表示される表示画面の配色を変更する表示制御手段とを備えていることを特徴とする原稿読取装置を提供する。また、本発明は、前記本発明に係る原稿読取装置を備えたことを特徴とする画像形成装置も提供する。
【０００９】
本発明にいう前記「配色」は、有彩色だけでもよいが、無彩色（白色、黒色及びそれらの中間色である灰色）をさらに含んでいてもよい。
【００１０】
本発明によれば、前記表示制御手段が前記原稿サイズ検知手段にて検知した前記原稿のサイズに基づいて前記表示画面の配色を変更するので、前記原稿サイズ検知手段が前記原稿載置手段に載置された前記原稿のサイズとは異なるサイズを検知したか否かをユーザに対して注意喚起させることができ、これにより、該ユーザに確実に報知することが可能となる。
【００１１】
本発明において、前前記表示制御手段は、前記原稿サイズ検知手段にて検知した前記原稿のサイズに対して前記表示画面の配色を一意に変更する態様を例示できる。
【００１２】
この特定事項では、前記表示制御手段が前記原稿サイズ検知手段にて検知した前記原稿のサイズに対して前記表示画面の配色を一意に変更するので、前記原稿サイズ検知手段が前記原稿載置手段に載置された前記原稿のサイズとは異なるサイズを検知したか否かをユーザに対して前記原稿のそれぞれのサイズで注意喚起させて確実に報知することが可能となる。
【００１３】
ところで、前記原稿サイズ検知手段は、通常は、前記原稿載置手段に載置する場所が僅かにずれた状態で前記原稿が載置されることで、長手方向が同一方向に向いた前記原稿のサイズ順での隣のサイズを検知することが多い。
【００１４】
そこで、本発明において、前記表示画面の配色は、長手方向が同一方向に向いた前記原稿のサイズ順での隣り合うサイズ間で一方が無彩色とされている場合には他方が有彩色とされている態様を例示できる。
【００１５】
この特定事項では、前記表示画面の配色は長手方向が同一方向に向いた前記原稿のサイズ順での隣り合うサイズ間で一方が無彩色とされている場合には他方が有彩色とされているので、前記原稿のサイズ順での隣り合うサイズ間での前記配色として無彩色と有彩色との違いをユーザに認識させ易くすることができ、それだけ明確に注意喚起させて前記原稿サイズ検知手段が前記原稿載置手段に載置された前記原稿のサイズとは異なるサイズを検知したか否かを該ユーザに確実に報知することが可能となる。
【００１６】
本発明において、前記表示画面の配色は、長手方向が同一方向に向いた前記原稿のサイズ順での隣り合うサイズ間で何れも有彩色とされている場合には互いに反対色系の配色とされている態様を例示できる。
【００１７】
この特定事項では、前記表示画面の配色は長手方向が同一方向に向いた前記原稿のサイズ順での隣り合うサイズ間で何れも有彩色とされている場合には互いに反対色系の配色とされているので、前記原稿のサイズ順での隣り合うサイズ間での前記配色として有彩色の違いをユーザに認識させ易くすることができ、それだけ明確に注意喚起させて前記原稿サイズ検知手段が前記原稿載置手段に載置された前記原稿のサイズとは異なるサイズを検知したか否かを該ユーザに確実に報知することが可能となる。
【００１８】
また、ＩＳＯ２１６に規定されたサイズ系列（具体的にはＡ系列及びＢ系列）の前記原稿のサイズ順での隣のサイズは系列の異なるサイズ（具体的にはＡ系列であるＡ４サイズの隣のサイズはＢ４サイズ又はＢ５サイズのＢ系列）となる。
【００１９】
そこで、本発明において、前記表示制御手段は、前記原稿サイズ検知手段にて検知した前記原稿のサイズに対するＩＳＯ２１６に規定されたサイズ系列単位で前記表示画面の配色を変更する態様を例示できる。
【００２０】
この特定事項では、前記表示制御手段が前記サイズ系列単位で前記表示画面の配色を変更するといった簡単な制御構成で、前記原稿サイズ検知手段が前記原稿載置手段に載置された前記原稿のサイズとは異なるサイズを検知したか否かをユーザに対して注意喚起させて確実に報知することが可能となる。
【００２１】
本発明において、前記表示画面の配色は、ＩＳＯ２１６に規定された前記原稿の隣り合う系列単位間で一方が無彩色とされている場合には他方が有彩色とされている態様を例示できる。
【００２２】
この特定事項では、前記表示画面の配色がＩＳＯ２１６に規定された前記原稿の隣り合う系列単位間（具体的にはＡ系列とＢ系列との間）で一方が無彩色とされている場合には他方が有彩色とされているので、前記原稿の隣り合う系列単位間での前記配色として無彩色と有彩色との違いをユーザに認識させ易くすることができ、それだけ明確に注意喚起させて前記原稿サイズ検知手段が前記原稿載置手段に載置された前記原稿のサイズとは異なるサイズを検知したか否かを該ユーザに確実に報知することが可能となる。
【００２３】
本発明において、前記表示画面の配色は、ＩＳＯ２１６に規定された前記原稿の隣り合う系列単位間で何れも有彩色とされている場合には互いに反対色系の配色とされている態様を例示できる。
【００２４】
この特定事項では、前記表示画面の配色がＩＳＯ２１６に規定された前記原稿の隣り合う系列単位間（具体的にはＡ系列とＢ系列との間）で何れも有彩色とされている場合には互いに反対色系の配色とされているので、前記原稿の隣り合う系列単位間での前記配色として有彩色の違いをユーザに認識させ易くすることができ、それだけ明確に注意喚起させて前記原稿サイズ検知手段が前記原稿載置手段に載置された前記原稿のサイズとは異なるサイズを検知したか否かを該ユーザに確実に報知することが可能となる。
【００２５】
本発明において、前記表示画面の配色は、規定サイズ以外のサイズに対応する配色を含み、前記表示制御手段は、前記原稿サイズ検知手段にて検知した前記原稿のサイズが前記規定サイズ以外のサイズである場合には、前記表示画面の配色を前記規定サイズ以外のサイズに対応する配色にする態様を例示できる。
【００２６】
この特定事項では、前記原稿サイズ検知手段にて検知した前記原稿のサイズが前記規定サイズ以外のサイズであっても、該原稿サイズ検知手段が前記原稿載置手段に載置された前記原稿のサイズとは異なるサイズを検知したか否かをユーザに対して注意喚起させて確実に報知することが可能となる。
【００２７】
本発明において、前記表示画面の配色は、初期画面に表示される初期の配色として前記原稿サイズ検知手段にて検知する前記原稿のサイズで設定した配色以外の配色を含み、前記表示制御手段は、前記初期画面における前記初期の配色から、前記原稿サイズ検知手段にて前記原稿のサイズを検知すると、該原稿サイズ検知手段にて検知した前記原稿のサイズに対応する配色に変更する態様を例示できる。
【００２８】
この特定事項では、前記初期画面の状態から前記原稿サイズ検知手段にて前記原稿のサイズが検知されたことをユーザに容易に認識させることが可能となる。
【００２９】
本発明において、前記表示制御手段は、前記表示画面の配色を設定変更可能とされている態様を例示できる。
【００３０】
この特定事項では、ユーザの選択操作によって前記表示画面の配色を任意に設定変更させることができ、これにより、ユーザの好みに合わせて前記表示画面を配色させることが可能となる。
【００３１】
本発明において、前記原稿サイズ検知手段は、前記原稿に対して走査読み取りして該原稿のサイズを検知する検知構成（いわゆるプレスキャンによりサイズを検知する検知構成）であってもよいが、前記原稿載置手段に載置された前記原稿のサイズの変更に即応して検知するセンサ（例えば、前記原稿からの反射光を検知する反射型光センサ）とされていることが好ましい。この場合、前記表示制御手段は、前記センサにて前記原稿のサイズの変更を検出すると直ちに前記表示画面の配色を変更する態様を例示できる。
【００３２】
この特定事項では、前記表示制御手段が前記センサにて前記原稿のサイズの変更を検出すると直ちに前記表示画面の配色を変更するので、前記原稿サイズ検知手段が前記原稿載置手段に載置された前記原稿のサイズとは異なるサイズを検知したか否かをユーザに対して即座に注意喚起させることができ、これにより、該ユーザに迅速にかつ確実に報知することが可能となる。
【発明の効果】
【００３３】
以上説明したように、本発明によると、前記表示制御手段が前記原稿サイズ検知手段にて検知した前記原稿のサイズに基づいて前記表示画面の配色を変更することで、前記原稿サイズ検知手段が前記原稿載置手段に載置された前記原稿のサイズとは異なるサイズを検知したか否かをユーザに対して注意喚起させることができ、これにより、該ユーザに確実に報知するができる。
【図面の簡単な説明】
【００３４】
【図１】本発明の一実施形態に係る画像形成装置の概略構成を示す斜視図である。
【図２】図１に示す画像形成装置の概略構成を示す断面図である。
【図３】図１及び図２に示す画像形成装置の操作ユニットにおける表示部を平面から視た概略平面図である。
【図４】図１及び図２に示す画像形成装置におけるハードウェア構成の一例を示す概略ブロック図である。
【図５】図１及び図２に示す画像読取装置において原稿送り装置を取り外した状態を正面斜め上方から視た概略斜視図である。
【図６】原稿のサイズ及び有無の検出を説明するための図であって、（ａ）は、原稿サイズセンサの配置構成を平面から視た概略平面図であり、（ｂ）は、原稿サイズセンサの受光部による受光の有無を表した原稿サイズ検出用フラグ設定テーブルのデータ構造を示す概略図であり、（ｃ）は、原稿有無センサの受光部による受光の有無を表した原稿有無検出用フラグ設定テーブルのデータ構造を示す概略図である。
【図７】原稿サイズ検知部にて検知した原稿のサイズに対して基本画面の配色を一意に変更する第１表示制御を説明するための図であって、原稿サイズ別配色設定テーブルのデータ構造を示す概略図である。
【図８】反対色系の意味を説明するための図であって、色相を円環状に並べた色相環を示す円環図である。
【図９】基本画面の初期状態での配色のデータが設定された初期画面用配色設定テーブルのデータ構造を示している。
【図１０】画像形成装置における制御部による第１表示制御の一例の前半部分を示すフローチャートである。
【図１１】画像形成装置における制御部による第１表示制御の一例の後半部分を示すフローチャートである。
【図１２】第１表示制御によって表示部に表示される基本画面の背景色を示す概略平面図であって、（ａ）から（ｈ）は、それぞれ、初期画面、Ｂ５サイズ、Ａ４サイズ、Ｂ５Ｒサイズ、Ａ４Ｒサイズ、Ｂ４サイズ、Ａ３サイズ及び定形外サイズでの背景色を示す図である。
【図１３】画像形成装置におけるハードウェア構成の他の例を示す概略ブロック図である。
【図１４】原稿サイズ検知部にて検知した原稿のサイズに対するＩＳＯ２１６に規定されたサイズ系列単位で基本画面の配色を変更する第２表示制御を説明するための図であって、原稿サイズ系列別配色設定テーブルのデータ構造を示す概略図である。
【図１５】画像形成装置における制御部による第２表示制御の一例を示すフローチャートである。
【図１６】第２表示制御によって表示部に表示される基本画面の背景色を示す概略平面図であって、（ａ）から（ｄ）は、それぞれ、初期画面、Ｂ系列、Ａ系列及び定形外サイズでの背景色を示す図である。
【図１７】基本画面の配色を設定変更するための設定画面の一例を示す概略図であって、（ａ）は、第１表示制御において原稿のサイズに対する基本画面の配色を設定変更する設定画面を示す図であり、（ｂ）は、第２表示制御において原稿のサイズ系列に対する基本画面の配色を設定変更する設定画面を示す図である。
【図１８】基本画面の初期状態に対する配色を設定変更する設定画面を示す図である。
【発明を実施するための形態】
【００３５】
以下、本発明に係る実施の形態について図面を参照しながら説明する。なお、以下に示す実施の形態は、本発明を具体化した例であって、本発明の技術的範囲を限定する性格のものではない。
【００３６】
［画像形成装置の全体構成］
図１は、本発明の一実施形態に係る画像形成装置２０の概略構成を示す斜視図である。図２は、図１に示す画像形成装置２０の概略構成を示す断面図である。図３は、図１及び図２に示す画像形成装置２０の操作ユニット３６における表示部１１６を平面から視た概略平面図である。また、図４は、図１及び図２に示す画像形成装置２０におけるハードウェア構成の一例を示す概略ブロック図である。
【００３７】
図１及び図２に示す画像形成装置２０は、ここでは、原稿の画像を読み取って画像を印刷（画像形成）するコピー機能と、ファクシミリ通信を行うファクシミリ機能と、情報端末装置等の外部装置（図示せず）からの画像データを印刷するプリンタ機能とを備えたデジタル複合機とされている。
【００３８】
画像形成装置２０は、原稿の画像を読み取って記録用紙等の記録シート（以下、記録用紙という。）Ｐに印刷するコピーモードと、原稿の画像データを読み取って送信する一方、原稿の画像データを受信して記録用紙Ｐに印刷するファクシミリモードと、外部装置からネットワーク回線等の通信手段を通じて受信した画像を記録用紙Ｐに印刷するプリンタモードとを選択的に切り替え可能とされている。
【００３９】
画像形成装置２０は、原稿の画像を読み取る構成とされた原稿読取装置２２と、電子写真形成プロセスにより原稿読取装置２２で読み取った画像に対応する画像データに基づいて記録用紙Ｐ上に画像を形成する印刷出力を行う画像形成部２４（図２及び図４参照）と、画像形成装置２０に関する各種機能の設定情報を受け付ける操作ユニット３６（図１及び図４参照）と、給紙部２６と、排紙処理装置２８とを備えている。また、画像形成装置２０は、図４に示すように、制御部１００、原稿サイズ検知部２７０（原稿サイズ検知手段の一例）、原稿有無検知部２８０、記憶部１０１、ＨＤＤ（Hard Disk Drive）等の大容量記憶装置１１２及び通信部１０６をさらに備えている。なお、図４において、図１及び図２に示す給紙部２６及び排紙処理装置２８は図示を省略している。
【００４０】
画像形成装置２０は、コピーモード、ファクシミリモード及びプリンタモードの各種動作モードのうち何れかをユーザによる操作ユニット３６への選択操作にて受け付けることで、選択された動作モードに対応する処理を実行するようになっている。
【００４１】
操作ユニット３６は、画像形成装置本体２１の正面側に設けられており、各種処理の指示操作、各種処理情報の入力操作或いは選択操作を行う操作部（具体的には操作パネル）１１４と、指示操作、入力操作或いは選択操作された各種処理情報をカラー表示する表示部（具体的には表示パネル）１１６とを備えている。操作ユニット３６は、ユーザが操作部１１４を操作しやすく、かつ、表示部１１６を目視しやすい構成とされている。詳しくは、操作ユニット３６は、画像形成装置本体２１の正面側の上面に、背面側が正面側よりも高くなるように傾斜して設けられている。具体的には、操作ユニット３６は、操作部１１４と表示部１１６とが一つの筐体に保持され、全体として一体となったユニットとされている。操作ユニット３６は、板状の操作パネルとされており、画像形成装置本体２１の高さ方向（図中のＺ方向）及び奥行き方向（主走査方向）（図中のＸ方向）の双方に直交する幅方向（副走査方向）（図中のＹ方向）において一方側（ここでは正面から視て左側）に配設されている。
【００４２】
操作部１１４は、操作ユニット３６の上面に設けられている。操作部１１４は、各種機能の切り替え操作、プリント処理における出力枚数、コピー処理における変倍、ファクシミリ送信処理における送信先等の入力情報を受け付けるために各種操作部材や、ユーザに異常動作等の動作状態を知らせるための発光ダイオード（ＬＥＤ：Light Emitting Diode）等の表示部材を備えている。
【００４３】
操作部１１４は、例えば、画像形成装置２０の動作状態に応じて点灯又は消灯（点滅）する表示灯１４２と、コピー動作に備える待機（スタンバイ）モードよりも消費電力の低い省エネモードの状態において省エネモードから待機モードへの移行指示を行うための電源キー１４４と、待機モードの状態において待機モードから省エネモードへの移行指示又は省エネモードの状態において省エネモードから待機モードへの移行指示を行うための省エネルギーキー１４６と、表示部１１６に表示されるホーム画面（図示せず）への移行指示を行うためのホームキー１４８とを含む各種ハードウェアキーを有している（図１参照）。
【００４４】
そして、操作部１１４において、ユーザによってホームキー１４８が押下されると、表示部１１６には、コピーモードを選択するためのソフトウェアキーであるアイコン（図示せず）と、ファクリミリモードを選択するためのソフトウェアキーであるアイコン（図示せず）と、プリンタモードを選択するためのソフトウェアキーであるアイコン（図示せず）とを含むホーム画面が表示され、各種動作モードからユーザによって所望の動作モードが選択される。
【００４５】
表示部１１６は、原稿読取装置２２の操作画面を表示する。表示部１１６は、操作ユニット３６の上面に設けられている。表示部１１６は、カラー表示装置（例えばカラー液晶ディスプレイ装置）を備えており、画像形成装置２０の動作状況、操作部１１４から入力された設定値等の操作情報を表示する。本実施の形態では、表示部１１６における表示装置は、画面上に表示したソフトウェアキーへのユーザの入力操作（例えばタッチ操作）により各種の選択操作を受け付けるようにした入力装置（具体的にはタッチパネル）を備えたタッチパネル一体型の表示装置（いわゆるタッチパネルディスプレイ）とされている。
【００４６】
表示部１１６の表示動作は、制御部１００（図４参照）によって制御される。詳しくは、表示部１１６に表示されたホーム画面（図示せず）において、ユーザの選択操作によって、コピーモード、ファクリミリモード及びプリンタモードの各種動作モードのうち何れかが選択されると、表示部１１６には、選択された動作モードの各種機能及びパラメータ等の設定操作を行うための表示を行う操作画面として基本画面α（図３の例ではコピーモード）が表示される。
【００４７】
各種動作モードの基本画面αは、システム領域α１、機能選択領域α２、プレビュー領域α３、アクションパネル領域α４、及び、タクストリガー領域α５を含む５つの領域からなる。これらの５つの領域は、基本レイアウトに従って、例えば、以下のように配置することができる。
【００４８】
すなわち、システム領域α１は基本画面αの最上部に配置される。プレビュー領域α３は基本画面αの中央部に配置される。機能選択領域α２は、基本画面αにおいてプレビュー領域α３の左側に配置される。アクションパネル領域α４は、基本画面αにおいてプレビュー領域α３の右側上部に配置される。タクストリガー領域α５は、基本画面αにおいてプレビュー領域α３の右側下部に配置される。前記した各種動作モードの基本画面αを構成する５つの領域及び基本レイアウトは、全ての動作モードにおいて共通とすることができる。
【００４９】
次に、コピーモードでの動作説明を行いながら画像形成装置２０の内部構成を説明する。
【００５０】
画像形成装置２０にて画像形成動作を行うにあたり、原稿読取装置２２における原稿送り装置２３の原稿セットトレイ３１に原稿がセットされると、原稿有無検知部（具体的には原稿有無検知センサ）３５が原稿のセットされたことを検知し、原稿サイズ検知部３２（具体的には原稿サイズ検知センサ３３，３４）が原稿のサイズを検知する。そして、操作ユニット３６を操作することにより、記録用紙Pのサイズ及び変倍率等が入力設定される。その後、操作ユニット３６の操作内容に応じて複写開始の指示がなされる。
【００５１】
原稿読取装置２２では、ユーザによる操作ユニット３６への入力操作に応答して、ピックアップローラ３８により原稿セットトレイ３１上の原稿を１枚ずつ引出し、原稿を捌き板４０及び搬送ローラ４２間を介して原稿読み取りガラス４３へと送り出し、原稿を原稿読み取りガラス４３上で副走査方向Ｙに搬送して原稿排出トレイ４６へと排出する。
【００５２】
このとき、第１の読取部４８によって原稿の表面（下側面）が読み取られる。第１の読取部４８における第１の走査ユニット５０は、第２の走査ユニット５２と共に予め定めた所定位置に移動された状態となっている。そして、原稿読取装置２２は、第１の走査ユニット５０の露光ランプにより原稿読み取りガラス４３を介して原稿の表面を照射し、原稿の反射光を第１の走査ユニット５０及び第２の走査ユニット５２の各反射ミラーにより結像レンズ５４へと導き、原稿の反射光を結像レンズ５４によりＣＣＤ（Charge Coupled Device）５６に集光させ、原稿の表面の画像をＣＣＤ５６上に結像させて原稿の表面の画像を読み取る。
【００５３】
また、原稿読取装置２２では、第２の読取部５８によって原稿の裏面（上側面）が読み取られる。詳しくは、第２の読取部５８は、原稿読み取りガラス４３の上方に配設されている。第２の読取部５８は、ＬＥＤアレイや蛍光灯等の光源を含み、かつ、原稿の裏面を照射する露光ランプと、画素毎に原稿の反射光を集光するセルフォックレンズアレイと、セルフォックレンズアレイを通じて受光した原稿の反射光を光電変換してアナログの画像信号を出力する密着イメージセンサ（ＣＩＳ：Contact Image Sensor）とを備えている。そして、原稿読取装置２２は、第２の読取部５８の露光ランプにより原稿の裏面を照射し、原稿の反射光をセルフォックレンズアレイにより密着イメージセンサに集光させ、原稿の裏面の画像を密着イメージセンサ上に結像させて原稿の裏面の画像を読み取る。
【００５４】
また、画像形成装置２０は、原稿読取装置２２の上部筐体を開いて、原稿台ガラス（原稿載置手段の一例）４４上に載置された原稿Ｇの表面を第１の読取部４８により読み取ることが可能である。この場合、原稿読取装置２２は、第１の走査ユニット５０及び第２の走査ユニット５２を相互に所定の速度関係を維持しつつ副走査方向Ｙの一方側に移動させ、第１の走査ユニット５０によって原稿台ガラス４４上の原稿を露光し、第１の走査ユニット５０及び第２の走査ユニット５２によって原稿からの反射光を結像レンズ５４へと導き、結像レンズ５４によって原稿の画像をＣＣＤ５６上に結像させて原稿Ｇの表面の画像を読み取る。なお、本実施の形態では、原稿読み取りガラス４３と原稿台ガラス４４とは、一体的に形成された１枚のガラス板とされている。
【００５５】
このようにして原稿の片面（表面）又は両面（表面及び裏面の双方）が読み取られると、原稿の片面又は両面の画像を示す画像データがマイクロコンピュータを含む制御部１００（図４参照）に入力され、ここで画像データに各種の画像処理が施され、この画像データが画像形成部２４へと出力される。
【００５６】
画像形成部２４は、画像データによって示される原稿の画像を記録用紙Ｐに印刷するものであって、感光体ドラム６０、帯電装置６２、レーザスキャンユニット（以下、ＬＳＵという。）６４、現像装置６８、転写装置７０、クリーニング装置７２、定着装置７４及び図示しない除電装置を備えている。
【００５７】
また、画像形成部２４には、主搬送路７６を含む搬送経路が設けられており、給紙部２６から送られてきた記録用紙Ｐが主搬送路７６に沿って搬送される。給紙部２６は、用紙カセット８０に収納された記録用紙Ｐ、又は、手差トレイ８２に載置された記録用紙Ｐを１枚ずつ引き出して画像形成部２４の主搬送路７６へと送り出す。
【００５８】
画像形成装置本体２１は、画像形成部２４の主搬送路７６に沿って記録用紙Ｐを搬送している途中で、記録用紙Ｐに対して感光体ドラム６０で形成されたトナー像を転写装置７０によって転写させ、さらに定着装置７４によって定着させることで印刷処理を行う。
【００５９】
詳しくは、感光体ドラム６０は、一方向に回転駆動され、除電装置により除電された表面がクリーニング装置７２によりクリーニングされた後、帯電装置６２により均一に帯電される。ＬＳＵ６４は、原稿読取装置２２からの画像データに基づいてレーザ光を変調し、変調したレーザ光によって感光体ドラム６０の表面を主走査方向Ｘに繰り返し走査して、感光体ドラム６０の表面に静電潜像を形成する。現像装置６８は、トナーを感光体ドラム６０の表面に供給して静電潜像を現像（顕像化）し、感光体ドラム６０の表面にトナー像を形成する。転写装置７０は、感光体ドラム６０上に形成されたトナー像を感光体ドラム６０との間を通過する記録用紙Ｐに転写する。定着装置７４は、トナー像が形成された記録用紙Ｐを加熱及び加圧して記録用紙Ｐ上のトナー像を記録用紙Ｐに定着させる。排紙処理装置２８では、複数の記録用紙Ｐを各排紙トレイ８８に仕分けして排出する。こうして、画像形成装置２０は、一連の印刷動作を完了する。
【００６０】
制御部１００は、画像形成装置２０全体の制御を司るものであって、ＣＰＵ（Central Processing Unit）を含んでいる。制御部１００は、接続配線１１８を介して原稿読取装置２２、画像形成部２４、操作ユニット３６、記憶部１０１、大容量記憶装置１１２、通信部１０６、原稿サイズ検知部２７０及び原稿有無検知部２８０に接続されている。
【００６１】
記憶部１０１は、ＲＯＭ（Read Only Memory）１０２及びＲＡＭ（Random Access Memory）１０４等の記憶装置を含んでいる。記憶部１０１におけるＲＯＭ１０２には、画像形成装置２０の動作を制御するのに必要なプログラム及びデータや、後述する設定テーブル等の情報が記憶されている。制御部１００は、ＲＯＭ１０２に格納されているプログラム及びデータに従って画像形成装置２０の制御を行って、画像形成装置２０の各機能に関する制御を実行する。
【００６２】
記憶部１０１におけるＲＡＭ１０４は、制御部１００による演算及び処理の結果を一時的に記憶するワーキングメモリとしての機能と、カウント値、ＪＡＭ及びサービスエラーの履歴情報、並びに消耗部品の情報等を記憶するバックアップメモリとしての機能と、画像データを記憶するフレームメモリとしての機能とを備えている。
【００６３】
大容量記憶装置１１２は、画像形成装置２０の入力画像データを記憶するためのドキュメントファイリング機能を実現するために備えられている。このドキュメントファイリング機能とは、スキャナで読み取られた画像、並びに、パーソナルコンピュータやファクシミリ装置等の外部装置（図示せず）から送信された画像を受信し、受信した画像を大容量記憶装置１１２に記憶することをいう。
【００６４】
通信部１０６は、パーソナルコンピュータやファクシミリ装置等の外部装置（図示せず）に接続されたネットワーク回線等の通信手段Ｌに対するインターフェイスとしての機能を有している。
【００６５】
［原稿サイズ検知部について］
図５は、図１及び図２に示す画像読取装置２２において原稿送り装置２３を取り外した状態を正面斜め上方から視た概略斜視図である。
【００６６】
図５に示すように、原稿サイズ検知部２７０は、複数の原稿サイズセンサ２７１，２７２，２７３で構成されており、原稿読取装置２２の底面（ここでは枠体２０２の原稿台ガラス４４と対向する面２０２ａ）に設けられている。原稿サイズ検知部２７０は、制御部１００の入力系に接続されている（図４参照）。
【００６７】
本実施の形態では、原稿サイズセンサ２７１は、副走査方向Ｙの原稿Ｇのサイズを検出する光学センサとされており、原稿サイズセンサ２７２，２７３は、主走査方向Ｘの原稿Ｇのサイズを検出する光学センサとされている。詳しくは、原稿サイズセンサ２７１，２７２，２７３は、原稿Ｇからの反射光を検出する反射型光学センサとされている。具体的には、原稿サイズセンサ２７１，２７２，２７３は、所定の光（例えば赤外光）を照射する照射部Ｔ１，Ｔ２，Ｔ３と、原稿Ｇからの反射光を受光する受光部Ｒ１，Ｒ２，Ｒ３とを備えている。
【００６８】
［原稿有無検知部について］
原稿有無検知部２８０は、原稿有無センサ２８１で構成されており、原稿読取装置２２の底面（ここでは枠体２０２の原稿台ガラス４４と対向する面２０２ａ）の原稿台ガラス４４上に載置される全サイズの原稿Ｇを検知できる位置に設けられている。原稿有無検知部２８０は、制御部１００の入力系に接続されている（図４参照）。
【００６９】
本実施の形態では、原稿有無センサ２８１は、全サイズの原稿Ｇの有無を検出する光学センサとされている。詳しくは、原稿有無センサ２８１は、原稿Ｇからの反射光を検出する反射型光学センサとされている。具体的には、原稿有無センサ２８１は、所定の光（例えば赤外光）を照射する照射部Ｔ４と、原稿Ｇからの反射光を受光する受光部Ｒ４とを備えている。
【００７０】
［制御部による原稿のサイズ及び有無の検出について］
制御部１００は、原稿サイズセンサ２７１，２７２，２７３における照射部Ｔ１，Ｔ２，Ｔ３から原稿台ガラス４４へ光を照射し、原稿台ガラス４４上に原稿Ｇが有る場合（受光部Ｒ１，Ｒ２，Ｒ３が原稿Ｇからの反射光を受光した場合）には、受光部Ｒ１，Ｒ２，Ｒ３から原稿Ｇが有る（受光している）ことを示すセンサ出力信号（具体的にはオン信号）が送信される。一方、制御部１００は、原稿台ガラス４４上に原稿Ｇが無い場合（受光部Ｒ１，Ｒ２，Ｒ３が原稿Ｇからの反射光を受光しない場合）には、受光部Ｒ１，Ｒ２，Ｒ３から原稿Ｇが無い（受光していない）ことを示すセンサ出力信号（具体的にはオフ信号）を送信される。制御部１００は、受光部Ｒ１，Ｒ２，Ｒ３から受けた原稿Ｇの有り又は無しを示すセンサ出力信号（具体的にはオン信号又はオフ信号）によって、原稿Ｇのサイズを検出（判定）するようになっている。
【００７１】
また、制御部１００は、原稿有無センサ２８１における照射部Ｔ４から原稿台ガラス４４へ光を照射し、原稿台ガラス４４上に原稿Ｇが有る場合（受光部Ｒ４が原稿Ｇからの反射光を受光した場合）には、受光部Ｒ４から原稿Ｇが有る（受光している）ことを示すセンサ出力信号（具体的にはオン信号）が送信される。一方、制御部１００は、原稿台ガラス４４上に原稿Ｇが無い場合（受光部Ｒ４が原稿からの反射光を受光しない場合）には、受光部Ｒ４から原稿Ｇが無い（受光していない）ことを示すセンサ出力信号（具体的にはオフ信号）が送信される。制御部１００は、受光部Ｒ４から受けた原稿Ｇが有り又は無しを示すセンサ出力信号（具体的にはオン信号又はオフ信号）によって、原稿Ｇの有無を検出（判定）するようになっている。
【００７２】
図６は、原稿Ｇのサイズ及び有無の検出を説明するための図である。図６（ａ）は、原稿サイズセンサ２７１，２７２，２７３の配置構成を平面から視た概略平面図を示している。図６（ｂ）は、原稿サイズセンサ２７１，２７２，２７３の受光部Ｒ１，Ｒ２，Ｒ３による受光の有無を表した原稿サイズ検出用フラグ設定テーブルＴＬ１のデータ構造を示している。図６（ｃ）は、原稿有無センサ２８１の受光部Ｒ４による受光の有無を表した原稿有無検出用フラグ設定テーブルＴＬ２のデータ構造を示している。なお、図６（ａ）において、符号Ｂ５，Ａ４は、ぞれぞれ、Ｂ５サイズ（176×250ｍｍ）及びＡ４サイズ（210×297ｍｍ）の原稿Ｇを長手方向が主走査方向Ｘに沿うように配置した状態を示しており、符号Ｂ５Ｒ，Ａ４Ｒ，Ｂ４，Ａ３は、ぞれぞれ、Ｂ５サイズ、Ａ４サイズ、Ｂ４サイズ（250×353ｍｍ）及びＡ３サイズ（297×420ｍｍ）の原稿Ｇを長手方向が副走査方向Ｙに沿うように配置した状態を示している。
【００７３】
ここでは、センチ仕様の画像形成装置について説明するが、インチ仕様の画像形成装置では、ＡＮＳＩ／ＡＳＭＥ  Ｙ１４．１に規定されたレターサイズ（8.5×11inch）、リーガルサイズ（8.5×14inch）、タブロイドレジャーサイズ（11×17inch）等のサイズとしてもよい。
【００７４】
図６（ａ）に示す例では、原稿台ガラス４４に載置された原稿Ｇは、読取領域の副走査方向読取方向Ｙ１の上流側（図６（ａ）の左側）端及び主走査方向Ｘの一方側（図６（ａ）の上側）端の双方を基準として位置決めされる。
【００７５】
図６（ｂ）に示すように、原稿サイズセンサ２７１は、原稿Ｇが符号Ｂ５Ｒ，Ｂ５，Ａ４の配置状態では原稿無し（受光していないこと）を示す信号を受光部Ｒ１にて出力し、かつ、それ以外の配置状態では原稿有り（受光していること）を示す信号を受光部Ｒ１にて出力する位置に設けられている。原稿サイズセンサ２７２は、原稿Ｇが符号Ｂ５Ｒ，Ａ４Ｒの配置状態では原稿無しを示す信号を出力し、かつ、それ以外の配置状態では原稿有りを示す信号を出力する位置に設けられている。原稿サイズセンサ２７３は、原稿Ｇが符号Ｂ５Ｒ，Ｂ５，Ｂ４，Ａ４Ｒの配置状態では原稿無しを示す信号を出力し、かつ、それ以外の配置状態では原稿有りを示す信号を出力する位置に設けられている。
【００７６】
制御部１００は、図６（ｂ）に示す原稿サイズ検出用フラグ設定テーブルＴＬ１を用いて判定することができる。原稿サイズ検出用フラグ設定テーブルＴＬ１は、予め記憶部１０１（図４参照）のＲＯＭ１０２に記憶されている。
【００７７】
図６（ｃ）に示すように、原稿有無センサ２８１は、原稿Ｇの配置状態に関わらず、原稿Ｇが原稿台ガラス４４上に位置決めされた状態で載置されていれば、原稿有りを示す信号を出力する位置に設けられている。
【００７８】
制御部１００は、図６（ｃ）に示す原稿有無検出用フラグ設定テーブルＴＬ２を用いて判定することができる。原稿有無検出用フラグ設定テーブルＴＬ２は、予め記憶部１０１（図４参照）のＲＯＭ１０２に記憶されている。
【００７９】
なお、原稿サイズ検知部２７０は、Ｂ５Ｒサイズ以外のサイズでは、原稿有無検知部２８０がない場合でも原稿有無検知部として作用することができる。また、原稿サイズ検知部２７０は、全サイズの原稿Ｇの有無を検知できるように原稿サイズセンサの検知パターンを工夫することによって原稿有無検知部を兼用してもよい。これについては、従来公知の手法で行うことができ、ここでは詳しい説明は省略する。
【００８０】
ところで、Ａ３、Ｂ４、Ａ４、Ｂ５等の規定サイズ以外のサイズ（具体的には定形外サイズ）の原稿Ｇが原稿台ガラス４４に載置された場合や、原稿台ガラス４４に載置する場所がずれた状態で原稿Ｇが載置された場合に、原稿サイズ検知部２７０がユーザの想定していないサイズとして検知し、原稿台ガラス４４に載置された原稿Ｇのサイズとは異なるサイズとして検知する場合がある。このような場合、ユーザは、原稿サイズ検知部２７０が原稿台ガラス４４に載置された原稿Ｇのサイズとは異なるサイズを検知したか否かを、画像形成された記録用紙Ｐのサイズを見て初めて気が付く場合が多い。そして、ユーザは、本来のサイズの記録用紙Ｐに画像形成したい場合には、もう一度画像形成し直す必要があり、それだけ無駄が生じる。
【００８１】
この点、制御部１００は、原稿サイズ検知部２７０にて検知した原稿Ｇのサイズに基づいて表示部１１６に表示される操作画面として基本画面αの配色を変更する表示制御手段としての機能を有する。なお、本実施の形態では、画像形成装置２０に設けられた制御部１００が前記表示制御手段として機能するようになっているが、原稿読取装置２２に設けられた原稿読取動作全体を制御する制御部（図示せず）が前記表示制御手段として機能するようになっていてもよい。
【００８２】
ここで、基本画面αの配色を変更するにあたっては、表示部１１６の全表示画面の配色を変更してもよいし、表示部１１６の一部の表示画面の配色を変更してもよい。表示部１１６の一部の表示画面の配色を変更する場合、表示部１１６の表示画面の面積うち５０％以上の面積の配色を変更することが好ましい。また、基本画面αの配色は、同じ色相を基調とする同系色の配色であれば、色調（明度及び／又は彩度）が異なっていても同じ配色とすることができる。
【００８３】
具体的には、制御部１００は、次の第１実施形態又は第２実施形態の表示制御を行うことができる。
【００８４】
（第１実施形態）
第１実施形態に係る画像形成装置２０の制御部１００は、原稿サイズ検知部２７０にて検知した原稿Ｇのサイズに対して基本画面αの配色を一意に変更する第１表示制御を行う構成とされている。
【００８５】
図７は、原稿サイズ検知部２７０にて検知した原稿Ｇのサイズに対して基本画面αの配色を一意に変更する第１表示制御を説明するための図であって、原稿サイズ別配色設定テーブルＴＬ３のデータ構造を示している。
【００８６】
図７に示すように、原稿サイズ別配色設定テーブルＴＬ３には、原稿サイズ検知部２７０にて検知した原稿ＧのＡ３サイズ、Ｂ４サイズ、Ａ４Ｒサイズ、Ｂ５Ｒサイズ、Ａ４サイズ及びＢ５サイズのデータと、表示部１１６の黒色の配色、緑色の配色、ピンク色の配色、グレー色の配色、橙色（黄赤色）の配色及び青色の配色のデータとが１：１に対応して設定されている。なお、原稿サイズ別配色設定テーブルＴＬ３は、予め記憶部１０１（図４参照）のＲＯＭ１０２（ここでは電気的に書き換え可能な不揮発性メモリ）に記憶されている。原稿サイズ別配色設定テーブルＴＬ３における定形外サイズについては後述する。
【００８７】
本第１実施形態において、第１表示制御を行う制御部１００は、長手方向が同一方向に向いた原稿Ｇのサイズ順での隣り合うサイズ間で一方が無彩色とされている場合には他方を有彩色とし、かつ、原稿Ｇのサイズ順での隣り合うサイズ間で何れも有彩色とされている場合には互いに反対色系の配色とする構成とされている。
【００８８】
具体的には、長手方向が同一方向に向いた原稿Ｇのサイズ順は、原稿Ｇを長手方向が副走査方向Ｙに沿うように配置した場合には、大きい方からＡ３サイズ、Ｂ４サイズ、Ａ４Ｒサイズ、Ｂ５Ｒサイズの順となり、原稿Ｇを長手方向が主走査方向Ｘに沿うように配置した場合には、大きい方からＡ４サイズ、Ｂ５サイズの順となる。
【００８９】
ここで、「反対色系」とは、色相環において、対象となる色に対して正反対に位置する色（補色）を１８０°とした場合に、好ましくは９０°を超え、かつ、２７０°未満の位置、より好ましくは、１２０°を超え、かつ、２４０°未満の位置にある色をいう。本第１実施形態及び後述する第２実施形態において、反対色系は、９０°を超え、かつ、２７０°未満の位置にある色とされている。
【００９０】
図８は、反対色系の意味を説明するための図であって、色相を円環状に並べた色相環を示す円環図である。
【００９１】
反対色系について、長手方向が同一方向に向いた原稿Ｇのサイズ順での隣り合うＡ４サイズとＢ５サイズとの間で何れも有彩色とされている場合を例にとって説明すると、Ａ４サイズでの配色が橙色であるので、Ｂ５サイズに対応する配色は、橙色対して正反対に位置する青色（補色）を１８０°とした場合に、９０°を超え、かつ、２７０°未満の位置にあるの赤み紫青色から黄み緑色までの色（具体的には青色）とされている。なお、色相環に対応する各色の位置関係（各色の絶対角度、例えば赤色を絶対０°とした絶対角度）は、予め記憶部１０１（図４参照）のＲＯＭ１０２に記憶されている。
【００９２】
また、本第１実施形態において、基本画面αの配色は、規定サイズ（具体的には、Ａ３サイズ、Ｂ４サイズ、Ａ４Ｒサイズ、Ｂ５Ｒサイズ、Ａ４サイズ、Ｂ５サイズ）以外の定形外サイズに対応する配色（具体的には黄色）を含んでいる。
【００９３】
すなわち、図７に示す原稿サイズ別配色設定テーブルＴＬ３には、定形外サイズのデータと基本画面αの配色（具体的には黄色）のデータとが対応して設定されている。
【００９４】
そして、第１表示制御を行う制御部１００は、原稿サイズ検知部２７０にて検知した原稿Ｇのサイズが定形外サイズである場合には、基本画面αの配色を定形外サイズに対応する配色（具体的には黄色）にする構成とされている。
【００９５】
また、本第１実施形態において、基本画面αの配色は、基本画面α（図３参照）の初期状態（初期画面の一例）に表示される初期の配色として原稿サイズ検知部２７０にて検知する原稿Ｇのサイズで設定した配色（具体的には、黒色、緑色、ピンク色、グレー色、橙色、青色）以外の配色（具体的には白色）を含んでいる。
【００９６】
図９は、基本画面αの初期状態での配色のデータが設定された初期画面用配色設定テーブルＴＬ４のデータ構造を示している。
【００９７】
図９に示すように、初期画面用配色設定テーブルＴＬ４には、基本画面αの初期状態での配色（具体的には白色）のデータが設定されている。なお、初期画面用配色設定テーブルＴＬ４は、予め記憶部１０１（図４参照）のＲＯＭ１０２（ここでは電気的に書き換え可能な不揮発性メモリ）に記憶されている。
【００９８】
そして、制御部１００は、基本画面αの初期状態における初期の配色（具体的には白色）から、原稿サイズ検知部２７０にて原稿Ｇのサイズを検知すると、原稿サイズ検知部２７０にて検知した原稿Ｇのサイズに対応する配色に変更する構成とされている。
【００９９】
また、本第１実施形態において、制御部１００は、反射型光センサを構成する原稿サイズ検知部２７０にて原稿Ｇのサイズの変更を検出すると直ちに基本画面αの配色を変更する構成とされている。
【０１００】
［第１表示制御の制御例について］
次に、画像形成装置２０における制御部１００による第１表示制御の一例について図１０から図１２を参照しながら説明する。
【０１０１】
図１０は、画像形成装置２０における制御部１００による第１表示制御の一例の前半部分を示すフローチャートである。図１１は、画像形成装置２０における制御部１００による第１表示制御の一例の後半部分を示すフローチャートである。また、図１２は、第１表示制御によって表示部１１６に表示される基本画面αの背景色を示す概略平面図である。図１２（ａ）から図１２（ｈ）は、それぞれ、初期画面、Ｂ５サイズ、Ａ４サイズ、Ｂ５Ｒサイズ、Ａ４Ｒサイズ、Ｂ４サイズ、Ａ３サイズ及び定形外サイズでの背景色を示している。
【０１０２】
図１０及び図１１に示す制御例では、先ず、図１０に示すように、基本画面αの初期状態での配色として記憶部１０１の初期画面用配色設定テーブルＴＬ４（図９参照）から白色のデータを読み出して基本画面αの初期状態（具体的には初期画面）での配色を白色（図１２（ａ）参照）にする（ステップＳ１）。
【０１０３】
次に、原稿有無検知部２８０による原稿Ｇの有無検出結果から原稿Ｇの有無を判断し（ステップＳ２）、原稿Ｇが無いと判断した場合には（ステップＳ２：Ｙｅｓ）、ステップＳ１に戻る一方、原稿Ｇが有ると判断した場合には（ステップＳ２：Ｎｏ）、ステップＳ３に移行する。
【０１０４】
次に、原稿サイズ検知部２７０による原稿Ｇのサイズ検出結果から原稿ＧのサイズがＢ５であるか否かを判断し（ステップＳ３）、原稿ＧのサイズがＢ５である場合には（ステップＳ３：Ｙｅｓ）、表示部１１６の基本画面αの背景色として記憶部１０１の原稿サイズ別配色設定テーブルＴＬ３（図７参照）から青色のデータを読み出して表示部１１６の基本画面αの背景色を青色（図１２（ｂ）参照）に変更し（ステップＳ４）、図１１のステップＳ１６に移行する一方、原稿ＧのサイズがＢ５でない場合には（ステップＳ３：Ｎｏ）、ステップＳ５に移行する。
【０１０５】
次に、原稿サイズ検知部２７０による原稿Ｇのサイズ検出結果から原稿ＧのサイズがＡ４であるか否かを判断し（ステップＳ５）、原稿ＧのサイズがＡ４である場合には（ステップＳ５：Ｙｅｓ）、表示部１１６の基本画面αの背景色として記憶部１０１の原稿サイズ別配色設定テーブルＴＬ３（図７参照）から橙色のデータを読み出して表示部１１６の基本画面αの背景色を橙色（図１２（ｃ）参照）に変更し（ステップＳ６）、図１１のステップＳ１６に移行する一方、原稿ＧのサイズがＡ４でない場合には（ステップＳ５：Ｎｏ）、ステップＳ７に移行する。
【０１０６】
次に、原稿サイズ検知部２７０による原稿Ｇのサイズ検出結果から原稿ＧのサイズがＢ５Ｒであるか否かを判断し（ステップＳ７）、原稿ＧのサイズがＢ５Ｒである場合には（ステップＳ７：Ｙｅｓ）、表示部１１６の基本画面αの背景色として記憶部１０１の原稿サイズ別配色設定テーブルＴＬ３（図７参照）からグレー色のデータを読み出して表示部１１６の基本画面αの背景色をグレー色（図１２（ｄ）参照）に変更し（ステップＳ８）、図１１のステップＳ１６に移行する一方、原稿ＧのサイズがＢ５Ｒでない場合には（ステップＳ７：Ｎｏ）、ステップＳ９に移行する。
【０１０７】
次に、原稿サイズ検知部２７０による原稿Ｇのサイズ検出結果から原稿ＧのサイズがＡ４Ｒであるか否かを判断し（ステップＳ９）、原稿ＧのサイズがＡ４Ｒである場合には（ステップＳ９：Ｙｅｓ）、表示部１１６の基本画面αの背景色として記憶部１０１の原稿サイズ別配色設定テーブルＴＬ３（図７参照）からピンク色のデータを読み出して表示部１１６の基本画面αの背景色をピンク色（図１２（ｅ）参照）に変更し（ステップＳ１０）、図１１のステップＳ１６に移行する一方、原稿ＧのサイズがＡ４Ｒでない場合には（ステップＳ９：Ｎｏ）、図１１のステップＳ１１に移行する。
【０１０８】
図１１に示すように、原稿サイズ検知部２７０による原稿Ｇのサイズ検出結果から原稿ＧのサイズがＢ４であるか否かを判断し（ステップＳ１１）、原稿ＧのサイズがＢ４である場合には（ステップＳ１１：Ｙｅｓ）、表示部１１６の基本画面αの背景色として記憶部１０１の原稿サイズ別配色設定テーブルＴＬ３（図７参照）から緑色のデータを読み出して表示部１１６の基本画面αの背景色を緑色（図１２（ｆ）参照）に変更し（ステップＳ１２）、ステップＳ１６に移行する一方、原稿ＧのサイズがＢ４でない場合には（ステップＳ１１：Ｎｏ）、ステップＳ１３に移行する。
【０１０９】
次に、原稿サイズ検知部２７０による原稿Ｇのサイズ検出結果から原稿ＧのサイズがＡ３であるか否かを判断し（ステップＳ１３）、原稿ＧのサイズがＡ３である場合には（ステップＳ１３：Ｙｅｓ）、表示部１１６の基本画面αの背景色として記憶部１０１の原稿サイズ別配色設定テーブルＴＬ３（図７参照）から黒色のデータを読み出して表示部１１６の基本画面αの背景色を黒色（図１２（ｇ）参照）に変更し（ステップＳ１４）、ステップＳ１６に移行する一方、原稿ＧのサイズがＡ３でない場合には（ステップＳ１３：Ｎｏ）、原稿Ｇのサイズが定形外であるとして、表示部１１６の基本画面αの背景色を黄色（図１２（ｈ）参照）に変更する（ステップＳ１５）。
【０１１０】
そして、コピーモードが終了するまで、ステップＳ２〜ステップＳ１５の処理を繰り返し（ステップＳ１６：Ｎｏ）、コピーモードの終了の指示があると（ステップＳ１６：Ｙｅｓ）、処理を終了する。
【０１１１】
（第２実施形態）
第２実施形態に係る画像形成装置２０の制御部１００は、第１表示制御に代えて／加えて（ここでは加えて）原稿サイズ検知部２７０にて検知した原稿Ｇのサイズに対するＩＳＯ２１６に規定されたサイズ系列（具体的にはＡ系列及びＢ系列）単位で基本画面αの配色を変更する第２表示制御を行う構成とされている。ここでは、制御部１００は、第１表示制御と第２表示制御とを選択画面（図示せず）によって選択的に切り替え可能とされている。
【０１１２】
図１３は、画像形成装置２０におけるハードウェア構成の他の例を示す概略ブロック図である。
【０１１３】
図１３に示すハードウェア構成は、図４に示すハードウェア構成において、記憶部１０１に代えて記憶部１０１Ａを設けた以外は図４に示すハードウェア構成と同様である。従って、図１３において、図４に示す部材と同一構成の部材には同じ参照符号を付し、その説明を省略する。
【０１１４】
記憶部１０１Ａには、第１実施形態の記憶部１０１に記憶されていた原稿サイズ検出用フラグ設定テーブルＴＬ１、原稿有無検出用フラグ設定テーブルＴＬ２、原稿サイズ別配色設定テーブルＴＬ３及び初期画面用配色設定テーブルＴＬ４に加えて、原稿サイズ系列別配色設定テーブルＴＬ３Ａが記憶されている。
【０１１５】
図１４は、原稿サイズ検知部２７０にて検知した原稿Ｇのサイズに対するＩＳＯ２１６に規定されたサイズ系列（具体的にはＡ系列及びＢ系列）単位で基本画面αの配色を変更する第２表示制御を説明するための図であって、原稿サイズ系列別配色設定テーブルＴＬ３Ａのデータ構造を示している。
【０１１６】
図１４に示すように、原稿サイズ系列別配色設定テーブルＴＬ３Ａには、原稿サイズ検知部２７０にて検知した原稿Ｇのサイズ系列（具体的には、Ａ３サイズ、Ａ４Ｒサイズ及びＡ４サイズを検知したときにはＡ系列、Ｂ４サイズ、Ｂ５Ｒサイズ及びＢ５サイズを検知したときにはＢ系列）のデータと、基本画面αの橙色の配色及び青色の配色のデータとが１：１に対応して設定されている。なお、原稿サイズ系列別配色設定テーブルＴＬ３Ａは、予め記憶部１０１Ａ（図１３参照）のＲＯＭ１０２Ａ（ここでは電気的に書き換え可能な不揮発性メモリ）に記憶されている。
【０１１７】
本第２実施形態において、第２表示制御を行う制御部１００は、ＩＳＯ２１６に規定された原稿Ｇの隣り合う系列（具体的にはＡ系列及びＢ系列）単位間で何れも有彩色とされている場合には互いに反対色系の配色とする構成とされている。なお、第２表示制御を行う制御部１００は、ＩＳＯ２１６に規定された原稿Ｇの隣り合う系列（具体的にはＡ系列及びＢ系列）単位間で一方が無彩色とされている場合には他方を有彩色とする構成とされていてもよい。
【０１１８】
また、本第２実施形態において、基本画面αの配色は、第１表示制御と同様、規定サイズ（具体的には、Ａ３サイズ、Ｂ４サイズ、Ａ４Ｒサイズ、Ｂ５Ｒサイズ、Ａ４サイズ、Ｂ５サイズ）以外の定形外サイズに対応する配色（具体的には黄色）を含んでいる。
【０１１９】
すなわち、図１４に示す原稿サイズ系列別配色設定テーブルＴＬ３Ａには、定形外サイズのデータと基本画面αの配色（具体的には黄色）のデータとが対応して設定されている。
【０１２０】
そして、第２表示制御を行う制御部１００は、第１表示制御と同様、原稿サイズ検知部２７０にて検知した原稿Ｇのサイズが定形外サイズである場合には、基本画面αの配色を定形外サイズに対応する配色（具体的には黄色）にする構成とされている。
【０１２１】
［第２表示制御の制御例について］
次に、画像形成装置２０における制御部１００による第２表示制御の一例について図１５及び図１６を参照しながら説明する。
【０１２２】
図１５は、画像形成装置２０における制御部１００による第２表示制御の一例を示すフローチャートである。なお、図１５の処理ステップにおいて、図１０及び図１１の処理ステップと同じ処理ステップには同じ参照符号を付している。また、図１６は、第２表示制御によって表示部１１６に表示される基本画面αの背景色を示す概略平面図である。図１６（ａ）から図１６（ｄ）は、それぞれ、初期画面、Ｂ系列、Ａ系列及び定形外サイズでの背景色を示している。
【０１２３】
図１５に示す制御例では、先ず、基本画面αの初期状態での配色として記憶部１０１の初期画面用配色設定テーブルＴＬ４（図９参照）から白色のデータを読み出して基本画面αの初期状態（具体的には初期画面）での配色を白色（図１６（ａ）参照）にする（ステップＳ１）。
【０１２４】
次に、原稿有無検知部２８０による原稿Ｇの有無検出結果から原稿Ｇの有無を判断し（ステップＳ２）、原稿Ｇが無いと判断した場合には（ステップＳ２：Ｙｅｓ）、ステップＳ１に戻る一方、原稿Ｇが有ると判断した場合には（ステップＳ２：Ｎｏ）、ステップＳ３に移行する。
【０１２５】
次に、原稿サイズ検知部２７０による原稿Ｇのサイズ検出結果から原稿Ｇのサイズ系列がＢ系列であるか否かを判断し（ステップＳ３Ａ）、原稿Ｇのサイズ系列がＢ系列である場合には（ステップＳ３Ａ：Ｙｅｓ）、表示部１１６の基本画面αの背景色として記憶部１０１の原稿サイズ系列別配色設定テーブルＴＬ３Ａ（図１４参照）から青色のデータを読み出して表示部１１６の基本画面αの背景色を青色（図１６（ｂ）参照）に変更し（ステップＳ４Ａ）、ステップＳ１６に移行する一方、原稿Ｇのサイズ系列がＢ系列でない場合には（ステップＳ３Ａ：Ｎｏ）、ステップＳ５Ａに移行する。
【０１２６】
次に、原稿サイズ検知部２７０による原稿Ｇのサイズ検出結果から原稿Ｇのサイズ系列がＡ系列であるか否かを判断し（ステップＳ５Ａ）、原稿Ｇのサイズ系列がＡ系列である場合には（ステップＳ５Ａ：Ｙｅｓ）、表示部１１６の基本画面αの背景色として記憶部１０１の原稿サイズ系列別配色設定テーブルＴＬ３Ａ（図１４参照）から橙色のデータを読み出して表示部１１６の基本画面αの背景色を橙色（図１６（ｃ）参照）に変更し（ステップＳ６Ａ）、ステップＳ１６に移行する一方、原稿Ｇのサイズ系列がＡ系列でない場合には（ステップＳ５Ａ：Ｎｏ）、原稿Ｇのサイズが定形外であるとして、表示部１１６の基本画面αの背景色を黄色（図１６（ｄ）参照）に変更する（ステップＳ１５）。
【０１２７】
そして、コピーモードが終了するまで、ステップＳ２〜ステップＳ１５の処理を繰り返し（ステップＳ１６：Ｎｏ）、コピーモードの終了の指示があると（ステップＳ１６：Ｙｅｓ）、処理を終了する。
【０１２８】
以上説明したように本第１及び第２実施形態によると、制御部１００が原稿サイズ検知部２７０にて検知した原稿Ｇのサイズに基づいて基本画面αの配色を変更するので、原稿サイズ検知部２７０が原稿台ガラス４４に載置された原稿Ｇのサイズとは異なるサイズを検知したか否かをユーザに対して注意喚起させることができ、これにより、該ユーザに確実に報知することが可能となる。例えば、ユーザは、原稿サイズ検知部２７０が原稿台ガラス４４に載置された原稿Ｇのサイズとは異なるサイズを検知したか否かを、画像形成する前に気が付くことができ、再度、画像形成を行うといったコピー動作の無駄を省くことができる。
【０１２９】
また、本第１実施形態の第１表示制御では、制御部１００が原稿サイズ検知部２７０にて検知した原稿Ｇのサイズに対して基本画面αの配色を一意に変更することで、原稿サイズ検知部２７０が原稿台ガラスに載置された原稿Ｇのサイズとは異なるサイズを検知したか否かをユーザに対して原稿Ｇのそれぞれのサイズで注意喚起させて確実に報知することが可能となる。
【０１３０】
また、本第１実施形態の第１表示制御では、基本画面αの配色は長手方向が同一方向に向いた原稿Ｇのサイズ順での隣り合うサイズ間で一方が無彩色とされている場合には他方が有彩色とされていることで、原稿Ｇのサイズ順での隣り合うサイズ間（例えば、Ｂ５ＲサイズとＡ４Ｒサイズとの間）での配色として無彩色（例えば、グレー色）と有彩色（例えばピンク色）との違いをユーザに認識させ易くすることができ、それだけ明確に注意喚起させて原稿サイズ検知部２７０が原稿台ガラス４４に載置された原稿Ｇのサイズとは異なるサイズを検知したか否かを該ユーザに確実に報知することが可能となる。
【０１３１】
また、本第１実施形態の第１表示制御では、基本画面αの配色は長手方向が同一方向に向いた原稿Ｇのサイズ順での隣り合うサイズ間で何れも有彩色とされている場合には互いに反対色系の配色とされていることで、原稿Ｇのサイズ順での隣り合うサイズ間（例えば、Ｂ５サイズとＡ４サイズとの間）での配色として有彩色の違い（例えば、青色と橙色との違い）をユーザに認識させ易くすることができ、それだけ明確に注意喚起させて原稿サイズ検知部２７０が原稿台ガラス４４に載置された原稿Ｇのサイズとは異なるサイズを検知したか否かを該ユーザに確実に報知することが可能となる。
【０１３２】
また、本第２実施形態の第２表示制御では、制御部１００がサイズ系列（具体的にはＡ系列及びＢ系列）単位で基本画面αの配色を変更するといった簡単な制御構成で、原稿サイズ検知部２７０が原稿台ガラス４４に載置された原稿Ｇのサイズとは異なるサイズを検知したか否かをユーザに対して注意喚起させて確実に報知することが可能となる。
【０１３３】
また、本第２実施形態の第２表示制御では、基本画面αの配色がＩＳＯ２１６に規定された原稿の隣り合う系列単位間（具体的にはＡ系列とＢ系列との間）で何れも有彩色とされている場合には互いに反対色系の配色とされていることで、原稿Ｇの隣り合う系列単位間（具体的にはＡ系列とＢ系列との間）での配色として有彩色の違いをユーザに認識させ易くすることができ、それだけ明確に注意喚起させて原稿サイズ検知部２７０が原稿台ガラス４４に載置された原稿Ｇのサイズとは異なるサイズを検知したか否かを該ユーザに確実に報知することが可能となる。なお、基本画面αの配色がＩＳＯ２１６に規定された原稿Ｇの隣り合う系列単位間（具体的にはＡ系列とＢ系列との間）で一方が無彩色とされている場合には他方が有彩色とされている場合には、原稿Ｇの隣り合う系列単位間（具体的にはＡ系列とＢ系列との間）での配色として無彩色と有彩色との違いをユーザに認識させ易くすることができ、それだけ明確に注意喚起させて原稿サイズ検知部２７０が原稿台ガラス４４に載置された原稿Ｇのサイズとは異なるサイズを検知したか否かを該ユーザに確実に報知することが可能となる。
【０１３４】
また、本第１実施形態の第１表示制御及び第２実施形態の第２表示制御では、制御部１００が原稿サイズ検知部２７０にて検知した原稿Ｇのサイズが定形外サイズである場合には基本画面αの配色を定形外サイズに対応する配色（具体的には黄色）にするので、原稿サイズ検知部２７０にて検知した原稿Ｇのサイズが定形外サイズであっても、原稿サイズ検知部２７０が原稿台ガラス４４に載置された原稿Ｇのサイズとは異なるサイズを検知したか否かをユーザに対して注意喚起させて確実に報知することが可能となる。
【０１３５】
また、本第１実施形態の第１表示制御及び第２実施形態の第２表示制御では、制御部１００が基本画面αの初期状態（具体的には初期画面）における初期の配色（具体的には白色）から、原稿サイズ検知部２７０にて原稿Ｇのサイズを検知すると、原稿サイズ検知部２７０にて検知した原稿Ｇのサイズに対応する配色に変更することにより、初期画面の状態から原稿サイズ検知部２７０にて原稿Ｇのサイズが検知されたことをユーザに容易に認識させることが可能となる。
【０１３６】
また、本第１実施形態の第１表示制御及び第２実施形態の第２表示制御では、制御部１００が反射型光センサを構成する原稿サイズ検知部２７０にて原稿Ｇのサイズの変更を検出すると直ちに基本画面αの配色を変更することで、原稿サイズ検知部２７０が原稿台ガラスに載置された原稿Ｇのサイズとは異なるサイズを検知したか否かをユーザに対して即座に注意喚起させることができ、これにより、該ユーザに迅速にかつ確実に報知することが可能となる。
【０１３７】
また、本第１実施形態の第１表示制御及び第２実施形態の第２表示制御において、制御部１００は、基本画面αの配色を設定変更可能な構成とされていてもよい。
【０１３８】
次に、制御部１００が基本画面αの配色を設定変更する構成とした場合について図１７及び図１８を参照しながら説明する。
【０１３９】
図１７は、基本画面αの配色を設定変更するための設定画面の一例を示す概略図である。図１７（ａ）は、第１表示制御において原稿Ｇのサイズに対する基本画面αの配色を設定変更する設定画面を示しており、図１７（ｂ）は、第２表示制御において原稿Ｇのサイズ系列に対する基本画面αの配色を設定変更する設定画面を示している。
【０１４０】
図１７（ａ）及び図１７（ｂ）に示す設定画面は、配色設定領域βと配色選択領域γとに分けられている。
【０１４１】
図１７（ａ）に示す配色設定領域βは、サイズ表示領域β１〜β７と配色表示領域β８〜β１４とを含んでいる。第１表示制御を行う制御部１００は、サイズ表示領域β１〜β７に、原稿Ｇのサイズ（図の例では、Ａ３、Ｂ４、Ａ４Ｒ、Ｂ５Ｒ、Ａ４、Ｂ５及び定形外）を表示させ、サイズ表示領域β１〜β７に対して、配色表示領域β８〜β１４に、配色選択領域γでユーザによって選択されることで受け付けた配色を表示させるようになっている。
【０１４２】
また、図１７（ｂ）に示す配色設定領域βは、サイズ表示領域β１５，β１６，β７と配色表示領域β１７，β１８，β１４とを含んでいる。第２表示制御を行う制御部１００は、サイズ表示領域β１５，β１６，β７に、原稿Ｇのサイズ系列（具体的にはＡ系列及びＢ系列）並びに定形外を表示させ、サイズ表示領域β１５，１６，β７に対して、配色表示領域β１７，β１８，β１４に、配色選択領域γでユーザによって選択されることで受け付けた配色を表示させるようになっている。
【０１４３】
図１７（ａ）及び図１７（ｂ）に示す配色選択領域γは、選択表示領域γ１〜γ１１を含んでいる。第１及び第２表示制御を行う制御部１００は、選択表示領域γ１〜γ１１に、基本画面αの配色として、互いに異なる複数色（図の例では、赤色、橙色、黄色、緑色、青色、青紫色、紫色、ピンク色、ブレー色、黒色及び白色）のうち何れか一つをユーザによる操作（具体的にはタッチ操作）によって選択可能に表示するようになっている。
【０１４４】
また、図１７（ａ）及び図１７（ｂ）に示す配色設定領域βは、「確定」ボタンθ１と「終了」ボタンθ２とを有している。第１及び第２表示制御を行う制御部１００は、ユーザによる「確定」ボタンθ１の操作（具体的にはタッチ操作）を受け付けることによって配色を確定するようになっている。また、第１及び第２表示制御を行う制御部１００は、ユーザによる終了ボタンθ２の操作（具体的にはタッチ操作）を受け付けることによって、全ての配色が確定している場合には、選択された配色を受け付ける一方、配色が一つでも確定していない場合には、配色の設定変更を中止して前の操作画面に戻るようになっている。
【０１４５】
詳しくは、第１表示制御を行う制御部１００は、長手方向が同一方向に向いた原稿Ｇのサイズの大きい順又は小さい順（図１７（ａ）の例では大きい順）で基本画面αの配色の選択を順次受け付けるようになっている。
【０１４６】
具体的には、第１表示制御を行う制御部１００は、初回（この例ではＡ３サイズの設定）を除き、隣の原稿Ｇのサイズ（この例では一つ大きいサイズ）に対する配色が確定していない限り、配色を選択できないようになっている。
【０１４７】
つまり、第１表示制御を行う制御部１００は、初回では配色設定領域βにおけるＡ３サイズのサイズ表示領域β１を他のサイズ表示領域β２〜β７とは異なる表示（ここでは反転表示）にさせてＡ３サイズに対する配色をユーザによって配色選択領域γで選択できるようにする。そして、第１表示制御を行う制御部１００は、ユーザによって所望の配色（図１７（ａ）の例では配色選択領域γにおける選択表示領域γ１０の黒色）が選択操作されると、選択された選択表示領域γ１０を他の選択表示領域γ１〜γ９，γ１１とは異なる表示（ここでは反転表示）にさせ、配色設定領域βにおけるＡ３サイズに対応する配色表示領域β８に、配色選択領域γで選択された配色（図１７（ａ）の例では黒色）を表示させる。第１表示制御を行う制御部１００は、このとき確定ボタンθ１が操作されると、選択された配色を確定してサイズ表示領域β１の異なる表示（ここでは反転表示）を元の表示に戻す。
【０１４８】
次に、第１表示制御を行う制御部１００は、配色設定領域βにおけるＢ４サイズのサイズ表示領域β２を他のサイズ表示領域β１，β３〜β７とは異なる表示（ここでは反転表示）にさせてＢ４サイズに対する配色をユーザによって配色選択領域γで選択できるようにする。このとき、既に選択された配色（この例では黒色）の選択を禁止し、かつ、隣の原稿Ｇのサイズ（この例では一つ大きいサイズ）に対する配色が無彩色（この例では黒色）である場合には無彩色（この例ではグレー色及び白色）の選択を禁止し、さらに、隣の原稿Ｇのサイズ（この例では一つ大きいサイズ）に対する配色が有彩色である場合には隣の原稿Ｇのサイズ（この例では一つ大きいサイズ）に対する配色に近い配色（具体的には、対象となる色に対して正反対に位置する色（補色）を１８０°とした場合に、０°を超え９０°以内、かつ、２７０°以上３６０°未満の位置にある色）の選択を禁止する。なお、配色選択領域γにおける選択表示領域γ１〜γ１１のうち、前記した選択を禁止する選択表示領域は、淡い表示とされてユーザによって選択できないようになっている。第１表示制御を行う制御部１００は、０°を超え１２０°以内、かつ、２４０°以上３６０°未満の位置にある色の選択を禁止してもよい。これらのことは、後述する第２表示制御の場合についても同様である。
【０１４９】
そして、第１表示制御を行う制御部１００は、ユーザによって所望の配色が選択操作されると、選択された選択表示領域を他の選択表示領域とは異なる表示（ここでは反転表示）にさせ、配色設定領域βにおけるＢ４サイズに対応する配色表示領域β９に、配色選択領域γで選択された配色を表示させる。第１表示制御を行う制御部１００は、このとき確定ボタンθ１が操作されると、選択された配色を確定してサイズ表示領域β２の異なる表示（ここでは反転表示）を元の表示に戻す。
【０１５０】
以下同様にして、第１表示制御を行う制御部１００は、Ａ４Ｒ以降のサイズ及び定形外サイズに対する配色の設定変更を行う。
【０１５１】
また、第２表示制御を行う制御部１００は、図１７（ｂ）に示すように、原稿Ｇのサイズのサイズ系列（具体的にはＡ系列及びＢ系列）並びに定形外で基本画面αの配色の選択を順次受け付けるようになっている。
【０１５２】
具体的には、第２表示制御を行う制御部１００は、配色設定領域βにおけるＡ系列のサイズ表示領域β１５を他のサイズ表示領域β１６，β７とは異なる表示（ここでは反転表示）にさせてＡ系列サイズに対する配色をユーザによって配色選択領域γで選択できるようにする。そして、第２表示制御を行う制御部１００は、ユーザによって所望の配色（図１７（ｂ）の例では配色選択領域γにおける選択表示領域γ２の橙色）が選択操作されると、選択された選択表示領域γ２を他の選択表示領域γ１，γ３〜γ１１とは異なる表示（ここでは反転表示）にさせ、配色設定領域βにおけるＡ系列に対応する配色表示領域β１７に、配色選択領域γで選択された配色（図１７（ｂ）の例では橙色）を表示させる。第２表示制御を行う制御部１００は、このとき確定ボタンθ１が操作されると、選択された配色を確定してサイズ表示領域β１５の異なる表示（ここでは反転表示）を元の表示に戻す。
【０１５３】
次に、第２表示制御を行う制御部１００は、配色設定領域βにおけるＢ系列のサイズ表示領域β１６を他のサイズ表示領域β１５，β７とは異なる表示（ここでは反転表示）にさせてＢ系列サイズに対する配色をユーザによって配色選択領域γで選択できるようにする。このとき、既に選択された配色（この例では橙色）の選択を禁止し、かつ、隣の系列（この例ではＡ系列）の原稿Ｇに対する配色が無彩色である場合には無彩色の選択を禁止し、さらに、隣の系列（この例ではＡ系列）の原稿Ｇに対する配色が有彩色（この例では橙）である場合には隣の系列（この例ではＡ系列）の原稿Ｇに対する配色に近い配色（具体的には、対象となる色に対して正反対に位置する色（補色）を１８０°とした場合に、０°を超え９０°以内、かつ、２７０°以上３６０°未満の位置にある色）（この例では赤色、黄色及びピンク色）の選択を禁止する。
【０１５４】
そして、第２表示制御を行う制御部１００は、ユーザによって所望の配色が選択操作されると、選択された選択表示領域を他の選択表示領域とは異なる表示（ここでは反転表示）にさせ、配色設定領域βにおけるＢ系列サイズに対応する配色表示領域β１８に、配色選択領域γで選択された配色を表示させる。第２表示制御を行う制御部１００は、このとき確定ボタンθ１が操作されると、選択された配色を確定してサイズ表示領域β１６の異なる表示（ここでは反転表示）を元の表示に戻す。
【０１５５】
以下同様にして、第２表示制御を行う制御部１００は、定形外サイズに対する配色の設定変更を行う。
【０１５６】
図１８は、基本画面αの初期状態に対する配色を設定変更する設定画面を示している。
【０１５７】
図１８に示す設定画面は、配色設定領域βと配色選択領域γとに分けられている。図１８に示す配色設定領域βは、基本画面αの初期状態（具体的には初期画面）に対する配色表示領域β１９を含んでいる。第１及び第２表示制御を行う制御部１００は、配色表示領域β１９に、配色選択領域γでユーザによって選択されることで受け付けた配色を表示させるようになっている。
【０１５８】
図１８に示す配色選択領域γは、選択表示領域γ１〜γ１１のうち、第１又は第２表示制御で選択された配色以外の配色（図１８の例では第１表示制御で選択された配色以外の赤色、青紫色、紫色、白色）の選択表示領域（図１８の例ではγ１，γ６，γ７，γ１１）を含んでいる。第１及び第２表示制御を行う制御部１００は、選択表示領域（図１８の例ではγ１，γ６，γ７，γ１１）に、基本画面αの配色として、第１又は第２表示制御で選択された配色以外の配色（図１８の例では第１表示制御で選択された配色以外の赤色、青紫色、紫色、白色）のうち何れか一つをユーザによる操作（具体的にはタッチ操作）によって選択可能に表示するようになっている。
【０１５９】
また、図１８に示す配色設定領域βは、「確定」ボタンθ１と「終了」ボタンθ２とを有している。第１及び第２表示制御を行う制御部１００は、ユーザによる「確定」ボタンθ１の操作（具体的にはタッチ操作）を受け付けることによって配色を確定するようになっている。また、第１及び第２表示制御を行う制御部１００は、ユーザによる終了ボタンθ２の操作（具体的にはタッチ操作）を受け付けることによって、配色が確定している場合には、選択された配色を受け付ける一方、配色が確定していない場合には、配色の設定変更を中止して前の操作画面に戻るようになっている。
【０１６０】
詳しくは、第１及び第２表示制御を行う制御部１００は、ユーザによって所望の配色（図１８の例では配色選択領域γにおける選択表示領域γ１１の白色）が選択操作されると、選択された選択表示領域γ１１を他の選択表示領域γ１，γ６，γ７とは異なる表示（ここでは反転表示）にさせ、初期画面に対応する配色表示領域β１９に、配色選択領域γで選択された配色（図１８の例では白色）を表示させ、このとき確定ボタンθ１が操作されると、選択された配色を確定する。
【０１６１】
このように、図１７及び図１８に示す設定画面の処理では、ユーザの選択操作によって基本画面αの配色を任意に設定変更させることができ、これにより、ユーザの好みに合わせて基本画面αを配色させることが可能となる。なお、図１７及び図１８に示す設定画面の処理については、配色を新規に設定する場合も、既に設定されている配色を変更する場合も何れも同様の処理となる。
【０１６２】
（その他の実施形態）
以上説明した第１及び第２実施形態では、原稿台ガラス４４上に載置された原稿Ｇを反射型光学センサとされた原稿サイズ検知部２７０によって検知する場合を例にとって説明したが、原稿台ガラス４４上に載置された原稿Ｇを第１及び第２の走査ユニット５０，５２によって走査して（プレスキャンして）得られた画像データから原稿Ｇのサイズを検出しても同様に説明することができる。
【０１６３】
また、第１及び第２実施形態では、原稿固定方式で原稿Ｇの画像を読み取る原稿載置手段として原稿台ガラス４４を用い、原稿サイズ検知手段として、原稿サイズ検知部２７０を用いた場合を例にとって説明したが、図１に示すように、原稿移動方式で原稿の画像を読み取る原稿載置手段として原稿セットトレイ３１を用い、原稿サイズ検知手段として、原稿サイズ検知部３２を用いても同様に説明することができる。
【０１６４】
すなわち、原稿サイズ検知部３２は、複数の原稿サイズセンサ３３，３４で構成されており、原稿セットトレイ３１に設けられている。
【０１６５】
詳しくは、原稿セットトレイ３１は、主走査方向Ｘの原稿の位置が主走査方向Ｘにおけるセンター基準となるように、一対の規制部材を主走査方向Ｘに互いに連動させて移動させる移動機構（図示せず）を備えており、原稿サイズ検知センサ（例えば可変抵抗器）３３は、原稿を載置した原稿セットトレイ３１における前記移動機構の変位情報（例えば可変抵抗器の抵抗値に対応する電圧）を取得することで、原稿の奥行き方向（主走査方向Ｘ）のサイズを検知することができる。一方、原稿サイズ検知センサ（例えば反射型光センサ）３４は、原稿セットトレイ３１に載置された原稿からの反射光の有無情報（例えばオン／オフ信号）を取得することで、原稿の幅方向（副走査方向Ｙ）のサイズを検知することができる。
【符号の説明】
【０１６６】
２０      画像形成装置
２１      画像形成装置本体
２２      原稿読取装置
２３      原稿送り装置
３１      原稿セットトレイ（原稿載置手段の他の例）
３２      原稿サイズ検知部（原稿サイズ検知手段の他の例）
３３      原稿サイズ検知センサ
３４      原稿サイズ検知センサ
３５      原稿有無検知部
３６      操作ユニット
４４      原稿台ガラス（原稿載置手段の一例）
１００    制御部（表示制御手段の一例）
１０１    記憶部
１１４    操作部
１１６    表示部
２７０    原稿サイズ検知部（原稿サイズ検知手段の一例）
２７１    原稿サイズ検知センサ
２７２    原稿サイズ検知センサ
２８０    原稿有無検知部
Ｇ        原稿
Ｐ        記録用紙
ＴＬ１    原稿サイズ検出用フラグ設定テーブル
ＴＬ２    原稿有無検出用フラグ設定テーブル
ＴＬ３    原稿サイズ別配色設定テーブル
ＴＬ３Ａ  原稿サイズ系列別配色設定テーブル
ＴＬ４    初期画面用配色設定テーブル
Ｘ        主走査方向
Ｙ        副走査方向
α        基本画面
【図１】
0005349556.tif 000002
【図２】
0005349556.tif 000003
【図３】
0005349556.tif 000004
【図４】
0005349556.tif 000005
【図５】
0005349556.tif 000006
【図６】
0005349556.tif 000007
【図７】
0005349556.tif 000008
【図８】
0005349556.tif 000009
【図９】
0005349556.tif 000010
【図１０】
0005349556.tif 000011
【図１１】
0005349556.tif 000012
【図１２】
0005349556.tif 000013
【図１３】
0005349556.tif 000014
【図１４】
0005349556.tif 000015
【図１５】
0005349556.tif 000016
【図１６】
0005349556.tif 000017
【図１７】
0005349556.tif 000018
【図１８】
0005349556.tif 000019